(57)【要約】      （修正有）【課題】上ケースが前面パネルを透過して視認されにくい表示装置を提供する。【解決手段】ケース内に収納される表示器１，７と、表示器１，７の前面側を覆う前面パネル２２Ａ、２２Ｂと、前面パネル２２Ａ、２２Ｂをインサート成形する上ケース２５と、を備えた表示装置であって、上ケース２５は、前面パネル２２Ａ、２２Ｂの端部が配置される断面コ字状の溝部２８を有し、前面パネル２２Ａ、２２Ｂを通して視認されるときに、溝部２８を構成する一部の面が視認されないような明色の部材から成形されている。【選択図】図１
2017032707.tif 000002
【特許請求の範囲】
【請求項１】
表示器と、前記表示器の前面側を覆う前面パネルと、前記前面パネルをインサート成形する枠体と、を備えた表示装置であって、
前記枠体は、前記前面パネルの端部が配置される溝部を有すると共に、
前記枠体は、白色または有彩色の部材から成形されていることを特徴とする表示装置。
【請求項２】
前記前面パネルは、低反射処理層を有していることを特徴とする請求項１に記載の表示装置。
【発明の詳細な説明】
【技術分野】
【０００１】
本発明は、例えばオートバイ等の車両に搭載される表示装置に関し、表示器の前面側を覆う前面パネルを備えた表示装置に関するものである。
【背景技術】
【０００２】
従来より、ケース内にアナログ式表示器や液晶表示器等の表示ユニットが並設された表示装置が種々提案されており、例えば特許文献１に開示されている。
【０００３】
このような表示装置は、タコメータ１を構成する表示板４及びスピードメータ７を構成する液晶表示素子８の周縁の前方に上ケース２５が配置してある。この上ケース２５は、無色透明な透視板（前面パネル）２２Ａ，２２Ｂと、この透視板２２Ａ，２２Ｂの周囲に一体的に形成された黒色の覆い部（枠部）２６とからなるものである。上ケース２５は表示板４あるいは液晶表示素子８と下ケース２０との隙間から見える下ケース２０内部を覆い隠すものであるとともに、スピードメータ７やタコメータ１の表示領域Ｘ１，Ｘ２を定める機能をも有している。
【先行技術文献】
【特許文献】
【０００４】
【特許文献１】特開２００３−７６２９４号公報
【発明の開示】
【発明が解決しようとする課題】
【０００５】
透視板２２Ａ，２２Ｂは存在感が無いくらいに全く視認されないことが、表示装置の外観上は理想なのであるが、透視板２２Ａ，２２Ｂ自体が無色透明であったとしても、透視板２２Ａ，２２Ｂが枠体２６と接している箇所は、透視板２２Ａ，２２Ｂを通して枠体２６が視認されるため、透視板２２Ａ，２２Ｂが有ることが認識されてしまう。
【０００６】
本発明はこの様な点に鑑みなされたもので、透視板（前面パネル）の存在が認識されにくい表示装置を提供することを目的とする。
【課題を解決するための手段】
【０００７】
本発明は前記目的を達成するため、表示器と、前記表示器の前面側を覆う前面パネルと、前記前面パネルをインサート成形する枠体と、を備えた表示装置であって、前記枠体は、前記前面パネルの端部が配置される溝部を有すると共に、前記枠体は、白色または有彩色の部材から成形されているものである。
【０００８】
また、前記前面パネルは、低反射処理層を有しているものである。
【発明の効果】
【０００９】
本発明によれば、上ケースが前面パネルを透過して視認されにくい表示装置を提供することができる。
【図面の簡単な説明】
【００１０】
【図１】本発明の実施形態を示す表示装置の断面図。
【図２】同表示装置の要部拡大図。
【図３】従来例を示す表示装置の断面図。
【発明を実施するための最良の形態】
【００１１】
本発明を、車両に用いられる表示装置を実施形態として説明するが、従来例と同一もしくは相当箇所には同一符号を付し、その詳細説明は省略する。また、表示器のうち一方をスピードメータ７，他方の表示器をタコメータ１として説明する。図１は表示装置の断面図である。図２は表示装置の溝部の拡大図である。
【００１２】
タコメータ１はアナログ式であり、表示器本体２と、導光体３と、表示板４と、指針５とで構成されている。導光体３は光透過性の合成樹脂製で剛性を有し、光源としての発光ダイオード１９からの光を受けて表示板４や指針５を照明するようになっている。表示板４は、無色透明な基板の表面に指針５の指示対象となるエンジンの回転数を現す目盛，数字などの例えば白色透過性の表示部を設け、表示部以外は黒色の地色層で覆ってあり、発光ダイオード１９の点灯によって表示部が白色で透過表示するものである。
【００１３】
スピードメータ７は液晶表示式であり、車両の走行速度や走行距離などを表示する液晶表示素子８と、この液晶表示素子８が保持されるハウジング９とで構成されている。ハウジング９は、光源としての発光ダイオード１９からの光を受光部１１から採り入れて液晶表示素子８を背後から照明する導光部材としての機能も有し、無色透明の合成樹脂からなる。
【００１４】
また、ハウジング９の裏面側には光沢を有する白色の反射板２４が止着されている。この反射板２４はハウジング９の平面部１２内に入射した後、裏面側から洩れた光を液晶表示素子８側に反射させて液晶表示素子８全体をより明るく均一に照明するものである。
【００１５】
上ケース２５は、無色透明な合成樹脂製のタコメータ１用の前面パネル２２Ａ及びスピードメータ７用の前面パネル２２Ｂと、この前面パネル２２Ａ，２２Ｂの周囲にインサート成形により一体的に形成された枠体２６とからなる。前面パネル２２Ａ，２２Ｂは、後述する溝部２８に配置されるフランジ部２３を有している。
【００１６】
また、前面パネル２２Ａ、２２Ｂの視認者Ｐ側の表面には低反射処理層であるＡＲコート２２０ａが施され、計器側の表面には低反射層であるモスアイ層２２０ｂが施されている。
【００１７】
枠体２６は、白色もしくは銀色等の有彩色の合成樹脂からなるもので、タコメータ１とスピードメータ７周縁の前方に配置されて、下ケース２０内が見えるのを覆い隠すものであり、さらにスピードメータ７やタコメータ１の表示領域Ｘ１，Ｘ２を定める機能も有している。
【００１８】
また、図２に示すように、枠体２６は、前面パネル２２Ａ，２２Ｂのフランジ部２３が配置される断面コ字状の溝部２８を備えており、この溝部２８を構成するＡ面２８ａ，Ｂ面２８ｂ，Ｃ面２８ｃを有している。溝部２８のＡ面２８ａは、枠体２６の前面２６ａに平行な面である。溝部２８のＢ面２８ｂは、Ａ面２８ａに連なる面であり、Ａ面２８ａに対して垂直になっている。溝部２８のＣ面２８ｃは、Ｂ面２８ｂに連なる面であり、Ａ面２８ａに対向している。
【００１９】
視認者Ｐによって視認される上ケース２５の枠体２６が、前面パネル２２Ａ，２２Ｂを通して視認されるときに溝部２８のＣ面２８ｃが、枠体２６の白色もしくは銀色等の有彩色である明色で視認されるため、前面パネル２２Ａ，２２Ｂが認識されにくくなる。つまり、枠体２６の内周面２６ｂに比して、溝部２８のＣ面２８ｃが暗い場合、内周面２６ｂとＣ面２８ｃとのコントラストが大きいため、Ｃ面２８ｃが目立ってしまうが、本実施形態では、枠体２６が、明色で、かつ、溝部２８も明色であることによって、枠体２６と溝部２８のコントラストに差が出ず、前面パネル２２Ａ、２２Ｂの枠体２６と接している箇所が視認されにくくなる。
【００２０】
また、前面パネル２２Ａ、２２Ｂは、その表面に低反射処理層２２０ａ、２２０ｂを有していることによって、視認者Ｐ側へ反射される外光を低減するので、外光の映り込みを防止することができる。また、低反射処理層２２０ａ、２２０ｂが前面パネル２２Ａ、２２Ｂに形成されていることによって溝部２８のＣ面２８ｃと接する前面パネル２２Ａ、２２Ｂの端部で視認者Ｐ側へ反射される外光を低減することもできる。
【００２１】
このように、本願発明は、表示器１，７と、表示器１，７の前面側を覆う前面パネル２２Ａ、２２Ｂと、前面パネル２２Ａ、２２Ｂをインサート成形する枠体２６と、を備えた表示装置であって、枠体２６は、前面パネル２２Ａ、２２Ｂの端部が配置される溝部２８を有すると共に、前記枠体２６は、白色または有彩色の部材から成形されていることによって、前面パネル２２Ａ，２２Ｂの存在が認識され難くなる。
【００２２】
なお、本実施形態では、タコメータ１とスピードメータ７が搭載された表示装置を説明したが、これに限定されず、単体の表示器としてもよく、その形状は円形、楕円や長方形などでもよい。また、本実施形態では、コの字状の溝部２８を説明したが、前面パネル２２Ａ，２２Ｂが保持されるならば、その形状は限定されず、前面パネル２２Ａ、２２Ｂのフランジ部２３は無くても良い。
【符号の説明】
【００２３】
１      タコメータ（表示器）
７      スピードメータ（表示器）
２０    下ケース
２２Ａ  前面パネル
２２Ｂ  前面パネル
２３    フランジ部
２５    上ケース
２６    枠体
２８    溝部
２８ａ  Ａ面
２８ｂ  Ｂ面
２８ｃ  Ｃ面
Ｘ１    表示領域
Ｘ２    表示領域
Ｐ      視認者
２２０ａ  低反射処理層
２２０ｂ  低反射処理層
【図１】
2017032707.tif 000003
【図２】
2017032707.tif 000004
【図３】
2017032707.tif 000005